(57)【要約】  【課題】口腔内での頬粘膜等の圧排時に不快感や痛みを与えるような不都合を発生させることなく術野を容易に広く拡げることができ、吸水を楽にできる等治療を行い易くできるミラー部及びデンタルミラーを提供すること。  【解決手段】デンタルミラーＤに用いられるミラー部１０において、ミラー１を保持するミラー保持部２のミラー１とは反対側の面ｆを曲面状に膨出させてある。【選択図】  図３
2015134154.tif 000002
【特許請求の範囲】
【請求項１】
デンタルミラーに用いられるミラー部において、ミラーを保持するミラー保持部のミラーとは反対側の面を曲面状に膨出させてあるミラー部。
【請求項２】
ミラー保持部及び／又はミラーの正面視形状が円形又はほぼ円形である請求項１に記載のミラー部。
【請求項３】
ミラー保持部及び／又はミラーの正面視形状が楕円形又はほぼ楕円形である請求項１に記載のミラー部。
【請求項４】
請求項１〜請求項３のいずれか１項に記載のミラー部と、柄部とを有するデンタルミラー。
【請求項５】
前記柄部とミラー保持部とを繋ぐネック部を有する請求項４に記載のデンタルミラー。
【請求項６】
前記柄部をミラー部に対し位置変更可能としてある請求項４または請求項５に記載のデンタルミラー。
【請求項７】
側面視において、ネック部は柄部の軸方向に対し後方へ傾斜した状態で設けられている請求項５又は請求項６に記載のデンタルミラー。
【請求項８】
正面視において、ネック部は柄部の軸方向に対し一側方へ傾斜した状態で設けられている請求項５〜請求項７のいずれか１項に記載のデンタルミラー。
【請求項９】
前記柄部を前記ミラーのミラー表面に対し接近する方向及び離間する方向に位置変更可能としてある請求項６に記載のデンタルミラー。
【発明の詳細な説明】
【技術分野】
【０００１】
この発明は、ミラー部及びデンタルミラーに関するものである。
【背景技術】
【０００２】
歯科医療や口腔内検査等のため口腔内に挿入されるデンタルミラーとして、例えば下記特許文献１に記載されたものがある。これは、ミラーと裏面側がフラットな面に形成されているミラー保持部とこの保持部に連設された柄とを備える。
【先行技術文献】
【特許文献】
【０００３】
【特許文献１】特開２００７−２０７３４号公報
【発明の概要】
【発明が解決しようとする課題】
【０００４】
しかしながら、上記従来のデンタルミラーは奥歯や前歯等の治療対象部位を見るだけのものとして使用されており、これら治療対象部位の治療のために必要なスペースの確保、いわゆる、術野の確保（術野の拡大）の際患者に不快感や痛みを与えるおそれがある。すなわち、上記従来のデンタルミラーにおいては、口腔内へミラーを挿入して頬粘膜等を圧排する際にはミラーの裏面側のフラットな面やその周縁角部が頬粘膜等に強く当たることは避けられず、そのために治療をし易くする（術野を拡げる）目的で口腔内を広く開口しようとして柄に力を入れると患者に不快感を与えたり痛みが走るおそれがあり、口腔内での圧排時に不快感や痛みを与え難いデンタルミラー、及びデンタルミラーに用いられるミラー部が望まれていた。
【０００５】
この発明の目的は、口腔内での頬粘膜等の圧排時に不快感や痛みを与えるような不都合を発生させることなく術野を容易に広く拡げることができ、吸水を楽にできる等治療を行い易くできるミラー部及びデンタルミラーを提供することである。
【課題を解決するための手段】
【０００６】
上記目的を達成するために、この発明は、デンタルミラーに用いられるミラー部において、ミラーを保持するミラー保持部のミラーとは反対側の面を曲面状に膨出させてあるミラー部を提供する（請求項１）。
【０００７】
そして、この発明は、ミラー保持部及び／又はミラーの正面視形状が円形又はほぼ円形である請求項１に記載のミラー部を提供する（請求項２）。
【０００８】
さらに、この発明は、ミラー保持部及び／又はミラーの正面視形状が楕円形又はほぼ楕円形である請求項１に記載のミラー部を提供する（請求項３）。
【０００９】
また、この発明は、請求項１〜請求項３のいずれか１項に記載のミラー部と、柄部とを有するデンタルミラーを提供する（請求項４）。
【００１０】
また、この発明は、前記柄部とミラー保持部とを繋ぐネック部を有する請求項４に記載のデンタルミラーを提供する（請求項５）。
【００１１】
また、この発明は、前記柄部をミラー部に対し位置変更可能としてある請求項４または請求項５に記載のデンタルミラーを提供する（請求項６）。
【００１２】
また、この発明は、側面視において、ネック部は柄部の軸方向に対し後方へ傾斜した状態で設けられている請求項５又は請求項６に記載のデンタルミラーを提供する（請求項７）。そして、この発明は、正面視において、ネック部は柄部の軸方向に対し一側方へ傾斜した状態で設けられている請求項５〜請求項７のいずれか１項に記載のデンタルミラーを提供する（請求項８）。しかも、この発明は、前記柄部を前記ミラーのミラー表面に対し接近する方向及び離間する方向に位置変更可能としてある請求項６に記載のデンタルミラーを提供する（請求項９）。
【発明の効果】
【００１３】
請求項１に記載された発明では、ミラーを保持するミラー保持部のミラーとは反対側の面を曲面状に膨出させてあるので、その曲面状に膨出させてある部分で例えば頬粘膜を圧排でき、それによって口腔内での頬粘膜等の圧排時に不快感や痛みを与えるような不都合を発生させることがないといった効果を奏する。又、術野の拡大のため同じ程度の力加減で頬粘膜を圧排してもフラットな面を用いる場合に比べて口腔内を容易に広く開口することができ（口腔内を広げ易くすることができ）て開口操作を容易にでき、その結果、従来のフラットな面のものと比較してより抵抗なく術野を拡大することが可能となって、例えばバキュームチップの挿入が容易になり、吸水を楽にできる（吸水し易い）等治療がし易くなるといった効果がある。
【００１４】
また、請求項３に記載された発明では、ミラー保持部及び／又はミラーの正面視形状が楕円形又はほぼ楕円形であるので、上記効果に加えて、奥歯や前歯等の治療対象部位を見る場合に有効な特有の効果を奏するミラー部を提供することができる。例えば奥歯を見る場合、操作者はミラー保持部及び／又はミラーの長軸方向に沿わせながらミラー部を口腔内へ挿入することができ、それによって、奥歯の術野を容易に拡大することができて奥歯を見易くすることができる一方、例えば前歯を見る場合には、操作者はミラー保持部及び／又はミラーの短軸方向に沿わせながらミラー部を口腔内へ挿入することにより前歯の術野の確保を容易にできる。
【００１５】
さらに、請求項６に記載された発明では、前記柄部をミラー部に対し位置変更可能としてあるので、奥歯や前歯等の治療対象部位に応じて使い分けするための複数のデンタルミラーを用意することなく一つのデンタルミラーでいずれの治療対象部位にも使い分けすることができる。すなわち、例えば、奥歯を見るため操作者は、前記柄部をミラー保持部及び／又はミラーの長軸方向に沿って位置させることができる一方、例えば、前歯を見るため前記柄部をミラー保持部及び／又はミラーの短軸方向に沿うようミラー部に位置させることができる。
【図面の簡単な説明】
【００１６】
【図１】この発明の第１の実施形態に係るデンタルミラーを示す正面図である。
【図２】上記実施形態を示す背面図である。
【図３】上記実施形態を示す右側面図である。
【図４】上記実施形態を示す平面図である。
【図５】上記実施形態を示す底面図である。
【図６】図１におけるＡ−Ａ線断面図である。
【図７】（Ａ）は、この発明の第２の実施形態に係るデンタルミラーを示す左側面図である。（Ｂ）は、上記第２の実施形態を示す正面図である。
【図８】（Ａ）は、この発明の第３の実施形態に係るデンタルミラーの使用状態を示す正面図である。（Ｂ）は、上記第３の実施形態におけるネック部とミラー保持部の接続状態を示す要部構成説明図である。
【図９】上記第３の実施形態の変形例を示す正面図である。
【図１０】この発明の第４の実施形態に係るデンタルミラーの概略縦断面図である。
【図１１】上記第４の実施形態に係るデンタルミラーを示す要部説明図である。
【図１２】（Ａ）は、上記第４の実施形態の変形例を示す要部構成説明図である。（Ｂ）は、上記第４の実施形態の別の変形例を示す要部構成説明図である。
【発明を実施するための形態】
【００１７】
以下、この発明の実施形態について図面に基づいて説明する。
【００１８】
（第１の実施形態）図１〜図６において、デンタルミラーＤは、薄型で円盤状のミラー１と、このミラー１を保持するミラー保持部２と、柄部３と、前記ミラー保持部２と柄部３とを繋ぐネック部４とを有している。そして、ミラー保持部２のミラー１とは反対側の面ｆは曲面状に膨出して曲面状膨出部５を形成している。さらに、この実施形態では、柄部３と、ネック部４、ミラー保持部２とが別体に形成されている。すなわち、柄部３の一端側にネジ孔１１を設ける一方、ネジ孔１１に螺着可能な雄ネジ１２がネック部４の端部Ｓから突出状態で延設されている。図１〜図３におけるＳ’は、柄部３にネック部４を接続した際の、柄部３の端部とネック部４の端部Ｓの当接箇所である。なお、柄部３とネック部４の着脱手段はネジ方式に限られるものではない。また、前記曲面状膨出部５の曲面形状は、半球状、ドーム形状、その他の膨出曲面でも可能である。また、ミラー１の正面視形状が円形であるが、円形に近いほぼ円形であってもよい。
【００１９】
さらに、この実施形態では、図１に示す正面視において、ネック部４は柄部３の軸方向に対し左側方へ極小角度Δだけ傾斜した状態で設けられている。すなわち、図１において、両矢印ａで示す方向を柄部３の軸方向とし、両矢印ｂで示す方向をネック部４の軸方向とすると、ネック部４は柄部３の軸方向（ａ方向）に対し一側方（反時計まわりの方向）へ極小角度Δだけ傾斜した状態で設けられており、左右非対称である。尚、左右対称としてもよいことは勿論である。
【００２０】
さらに、図３に示す右側面視において、ネック部４は柄部３の軸方向（ａ方向）に対し後方へ鋭角θだけ傾斜した状態で設けられている。すなわち、図３において、両矢印ｅで示す方向をネック部４の軸方向とすると、ネック部４はａ方向に対し後方（時計まわりの方向）へ鋭角θだけ傾斜した状態で設けられている。
【００２１】
ミラー１は例えば平面鏡であり、この場合ミラー表面１ａはａ方向に平行である。ミラー１は、ミラー１を載置収容するための正面視円形の凹入部分６に接着等により取り付けられている。この凹入部分６はミラー保持部２の中央位置に形成されている。また、前記凹入部分６は、ミラー１の厚みと同一あるいはほぼ同一の深さを有する。また、前記柄部３は、この実施形態では細い円柱形状である。そして、この実施形態では、操作者が扱うのに便利なように、前記柄部３の親指が当たる図１に例えばＲで示す柄部領域には、滑り止め機能を発揮させるため、例えば、多数の凹凸を交互に連続して形成してもよい。
【００２２】
なお、この実施形態のデンタルミラーＤは以下に示すような工夫が施されている。
【００２３】
（１）上述したように、ネック部４はａ方向に対し正面視において一側方（反時計まわりの方向）へ極小角度Δだけ傾斜した状態で設けられている（図１参照）。（２）上述したように正面視形状が円形のミラー１が取り付けられている凹入部分６の内周ｍは円である。しかし、ミラー保持部２の外周ｎは左右対称に形成されてはいない。例えば図１の正面図において、ミラー保持部２の外周形状は、大部分を占める円弧領域ｇ〜ｈと直線領域ｈ〜ｉに構成されており、ミラー保持部２の外周形状は、左右非対称に構成されている。なお、ミラー保持部２の外周形状をほぼ円形である場合を示したが、この発明はミラー保持部２の外周形状を円形としてもよい。
【００２４】
而して、この実施形態のデンタルミラーＤは、曲面状に膨出する部分５で例えば頬粘膜を圧排でき、それによって口腔内での頬粘膜等の圧排時に不快感や痛みを与えるような不都合を発生させることがない。又、同じ程度の力加減で頬粘膜を圧排してもフラットな面を用いる場合に比べて口腔内を容易に広く開口することができ（口腔内を広げ易くすることができ）て開口操作を容易にでき、その結果、例えばバキュームチップの挿入が容易になり、吸水を楽にできる等治療を行い易くできるといった利点もある。
【００２５】
また、ネック部４をａ方向に対し後方へ鋭角θだけ傾斜した状態で設けることにより、介助者にこのデンタルミラーＤを保持させることが可能となり、治療をより行い易くできる。
【００２６】
また、ネック部４をａ方向に対し一側方（反時計まわりの方向）へ極小角度Δだけ傾斜した状態で設けることにより、口腔内へミラー１が挿入された状態では、操作者の手前に柄部３を位置させることができて柄部３を持ち易くでき、その結果、操作し易くできるデンタルミラーＤを提供することができる。
【００２７】
（変形例）なお、第１の実施形態では、柄部３と、ネック部４、ミラー保持部２とを別体に形成したものを示したが、この発明では、柄部３、ネック部４、ミラー保持部２を一体に形成してもよい。
【００２８】
（変形例）また、第１の実施形態では、ミラー１の表面１ａが柄部３の軸方向（ａ方向）に平行であるデンタルミラーＤを示したが、この発明では、図３において仮想線で示すように、デンタルミラーＤが、側面視において、ａ方向に対し右又は左に位置している柄部を有してもよい。
【００２９】
上記第１の実施形態では、ミラー保持部及び／又はミラーの正面視形状が円形又はほぼ円形である場合を示した。
【００３０】
（第２の実施形態）
図７（Ａ）、図７（Ｂ）は、ミラー保持部及び／又はミラーの正面視形状が楕円形又は  ほぼ楕円形であるこの発明の第２の実施形態に係るデンタルミラーを示す。図７（Ａ）、図７（Ｂ）において、図１〜図６に示す符号と同一のものは、同一又は相当物である。
【００３１】
この第２の実施形態は、第１の実施形態とは異なり、薄型で正面視形状が楕円形のミラー１と、このミラー１を保持する正面視形状が楕円形のミラー保持部２と、柄部３と、
前記ミラー保持部２と柄部３とを繋ぐネック部４とを有している。そして、この実施形態では、柄部３と、ネック部４、ミラー保持部２とが別体に形成されている。すなわち、柄部３の一端側にネジ孔１１を設ける一方、ネジ孔１１に螺着可能な雄ネジ１２がネック部４の端部Ｓから突出状態で延設されている。なお、柄部３とネック部４の着脱手段はネジ方式に限られるものではない。さらに、この第２の実施形態では、上記第１の実施形態と異なり、細い円柱形状の柄部３に対し、ネック部４を板状、すなわち、平板状に構成している。なお、この発明において、ミラー保持部２及び／又はミラー１の正面視形状がほぼ楕円形とは、正面視形状が真の楕円形ではなく長軸方向の先端がやや尖っているようなものや、長軸方向の両端が先細りに構成されているもの、鶏の玉子に近い形状のもの、スプーンの掬い部に近い形状のもの等を含む。
【００３２】
この第２の実施形態は、上記第１の実施形態で示したように、柄部３と、ネック部４、ミラー保持部２とを別体に形成して、ネック部４を介して両者３，２を着脱できるように構成している。そして、この第２の実施形態と上記第１の実施形態の異なる点は、ミラー保持部２及び／又はミラー１の正面視形状を、第１の実施形態では円形又はほぼ円形としたのに対し、第２の実施形態では楕円形又はほぼ楕円形に構成している点である。すなわち、図７（Ｂ）に示すように、ミラー保持部２及びミラー１の正面視形状は楕円形に構成されている。尚、図７（Ａ）のＸ−Ｘ線断面の形状は図６と同じである。
【００３３】
（変形例）なお、第２の実施形態では、柄部３と、ネック部４、ミラー保持部２とを別体に形成したものを示したが、この発明では、柄部３と、ネック部４、ミラー保持部２とを一体に形成してもよい。
【００３４】
（変形例）なお、この第２の実施形態においては、側面視において、柄部３の軸方向（ａ方向）に対しそれぞれ一仮想線で示すように上又は下に位置している柄部を有するデンタルミラーＤを提供することもできる。
【００３５】
図８は、この発明の第３の実施形態を示す。図８において、図１〜図７に示す符号と同一のものは、同一又は相当物である。
【００３６】
（第３の実施形態）この第３の実施形態では、ミラー保持部２及び／又はミラー１の正面視形状が楕円形又はほぼ楕円形であるミラー部１０’と、柄部３と、柄部３とミラー保持部２とを繋ぐネック部４とを有し、柄部３及びネック部４、ミラー保持部２に対し位置変更可能としてある一本のデンタルミラーＤを提供する。図８（Ａ）は、一本のデンタルミラーＤで複数の治療対象部位に使い分けすることができることを説明するための図であり、例えば奥歯を見る場合と前歯を見る場合の柄部３及びネック部４のミラー保持部２に対する接続状態を示している。図８（Ｂ）は、ネック部４とミラー保持部２の着脱自在な接続状態を示している。この第３の実施形態は、柄部３と、ネック部４と、曲面状膨出部５を含むミラー保持部２との三者を別体に形成している。すなわち、柄部３の一端側に雄ネジ１３を設ける一方、雄ネジ１３に螺着可能な雌ネジ１４がネック部４の一方端部Ｓに設けられている。これにより、柄部３とネック部４が着脱自在に接続される。さらに、ネック部４の他方端部が曲面状膨出部５の所定位置に形成されたネジ穴１５、１６に螺着されるよう構成されている。所定位置とは、例えば奥歯を見る場合と前歯を見る場合に好適な位置で二箇所存在する。奥歯を見る場合の好適な位置は、ミラー保持部２及び／又はミラー１の長軸方向に沿う位置である。また、前歯を見る場合の好適な位置は、ミラー保持部２及び／又はミラー１の短軸方向に沿う位置である。前記二箇所のネジ穴１５、１６は同一形状をなしており、ネジ穴１５、１６内にネック部４の他方端部が螺着可能に構成されている。図８（Ｂ）における１７は、ネック部４の他方端部に設けられているネジで、ネジ穴１５、１６に螺合するよう構成される。これにより、柄部３及びネック部４をミラー保持部２に対し位置変更可能に固定できる。又、図９の両矢印に示すように、柄部３及びネック部４（ネック部４が存在しないときは柄部３のみ）をミラー保持部２に対し回動自在とし、適宜位置で固定できるようにしてもよい。尚、図９では９０度の範囲で位置変更できるものを示してあるがこれよりも広い範囲（例えば１２０度）あるいは狭い範囲で位置変更可能としてもよい。
【００３７】
（変形例）尚、第３の実施形態では、柄部３とネック部４を別体に形成したものを示したが、この発明では、柄部３とネック部４を一体に形成してもよい。又、ネック部４を省略して柄部３を直接ミラー保持部２に繋いでもよい。
【００３８】
（変形例）また、第３の実施形態では、柄部３及びネック部４をミラー保持部２に対し位置変更可能にする構成として、ネック部４をミラー保持部２に着脱自在に固定する構成を採用したが、この発明では、例えば前記二箇所の所定位置を繋ぐガイド空間を曲面状膨出部５に形成し、柄部３及びネック部４がそのガイド空間を回動自在に移動し、所定位置において例えばロックナットでネック部４を固定する構成を採用することもできる。
【００３９】
また、上記各実施形態において、ネック部４の断面形状は、丸棒状、角棒状、平板状等種々の形状が適用可能である。また、柄部３の断面形状は、丸棒、角棒等種々の形状が適用可能である。
【００４０】
（第４の実施形態）尚、図７（Ａ）では、使用目的に応じいずれかが選択される３本の柄部３を示したが、図１０、図１１は、柄部３を取り替えることなく１本の柄部３を連続的に任意の位置に上下位置変更できるこの発明の第４の実施形態を示す。図１０、図１１において、図１〜図９に示す符号と同一のものは、同一又は相当物である。
【００４１】
この第４の実施形態では、ミラー１の表面１ａに直交する面において１本の柄部３が連続的に任意の位置に上下位置変更できるように構成してある。図１０、図１１において、ミラー保持部２と柄部３とを繋ぐネック部４は、その一端に形成されている縦断面略Ｃ字状の半割り筒状部４ａを有している。半割り筒状部４ａは、前記直交する面を通るよう周方向に沿って形成された帯状（一の字状）の切欠Ｐを有する。この帯状の切欠Ｐは、柄部３側からミラー保持部２側をみたときに例えば横長の矩形に形成されている。一方、柄部３は、筒状部４ａの右開口Ｋから筒状部４ａ内に挿入可能な大きさの円柱状部２０を一方端部に有する。この円柱状部２０は、一端（右端）に頭部２１を、他端（左端）に雌ネジ２２を有する。円柱状部２０は雌ネジ２２側から筒状部４ａ内に挿入されるよう形成されている一方、頭部２１は、挿入時に筒状部４ａ内に進入できない大きさに形成されている。すなわち、円柱状部２０を筒状部４ａ内へ挿入した後に頭部２１が筒状部４ａの右開口Ｋに当接した状態で、雌ネジ２２が左開口Ｋ’から突出するよう構成されている。２３はナット状体で、これは左開口Ｋ’から突出する雌ネジ２２を締付けて柄部３を任意の上下の位置に固定する。而して、使用目的に応じて柄部をその都度取り替えることなく、この実施形態では、円柱状部２０を一旦筒状部４ａ内へ挿入すれば、後は、柄部３を上下方向に回動させてナット状体２３で柄部３を任意の角度に固定するだけでよい。そして、ナット状体２３を緩めるだけの容易な作業で、別の任意の角度に柄部３を設定でき、その後ナット状体２３を締付けるだけの容易な作業で、ミラー１の表面１ａに直交する面において、柄部３がミラー１の表面１ａよりも上方に位置する方向（柄部３をミラー１のミラー表面１ａに対し接近する方向）及び柄部３がミラー１の表面１ａよりも下方に位置する方向（柄部３をミラー１のミラー表面１ａに対し離間する方向）あるいは柄部３をミラー１のミラー表面１ａに対し平行な方向等に位置変更可能にできる。
【００４２】
（変形例）尚、第４の実施形態では、筒状部として、帯状の切欠Ｐが形成された縦断面略Ｃ字状の半割り筒状部４ａを示したが、帯状の切欠Ｐに代えて、図１２（Ａ）に示すような、略逆Ｔ字状の切欠Ｐが形成された筒状部４ａを用いてもよい。なお、この実施形態では、柄部３のうち、円柱状部２０との連結個所を切欠Ｐ内を通過するよう細く形成してある。尚、固定は適宜ネジ部材Ｎ等を用いて行えばよい。
【００４３】
（変形例）また、この発明では、図１２（Ｂ）に示すような、略十字状の切欠Ｐが形成された筒状部４ａを用いてもよい。
【００４４】
上記第４の実施形態では、柄部３とネック部４との連結構造を設けたが、この発明は、上記第４の実施形態で用いた連結構造をミラー保持部２とネック部４との間あるいはミラー保持部２と柄部３との間（ネック部が存在しない場合）にも適用できる。
【符号の説明】
【００４５】
１      ミラー
２      ミラー保持部
１０    ミラー部
ｆ      ミラー保持部のミラーとは反対側の面
Ｄ      デンタルミラー
【図１】
2015134154.tif 000003
【図２】
2015134154.tif 000004
【図３】
2015134154.tif 000005
【図４】
2015134154.tif 000006
【図５】
2015134154.tif 000007
【図６】
2015134154.tif 000008
【図７】
2015134154.tif 000009
【図８】
2015134154.tif 000010
【図９】
2015134154.tif 000011
【図１０】
2015134154.tif 000012
【図１１】
2015134154.tif 000013
【図１２】
2015134154.tif 000014